(57)【要約】      （修正有）【課題】頑固な肩こりや背中の張り、腰痛、足のだるさに対して、強刺激ができない人に対応した弱刺激でも頑固な症状の緩和ができる施術用補助具を提供する。【解決手段】手掌側または足底側の外側から熱を発生できる手袋または靴下を装着することで、揉む、擦る、押す、つかむなどの手技や足技と併用した同時刺激により確かな筋肉硬縮の緩和や血行促進が期待でき、弱刺激でも治療の効果を高める。また、施術する側の手や足の施術環境も施術側面からの熱刺激を遮断するとともに通気性に富んだ素材Ｃ、Ｄの利用で内部の熱感や湿感などが放出されることで不快感がなく、多種多様の施術が安易になる。【選択図】図２
2015036465.tif 000002
【特許請求の範囲】
【請求項１】
手袋の手掌側全面の外側から熱を発生させることで揉む、擦る、押す、つかむ等の手技と同時に温熱刺激を与える方法
【請求項２】
靴下の足底側全面の外側から熱を発生させることで揉む、擦る、押す等の足技と同時に温熱刺激を与える方法
【請求項３】
手袋の手掌側全面の外側部分である拇指・示指・中指・薬指・小指の５本の指の指腹の先端から付け根にかけておよび掌の全面に熱が広がるようにマイクロカーボンファイバーヒーターを植え込む方法
【請求項４】
靴下の足底側全面の外側部分である拇指・示指・中指・薬指・小指の５本の指の指腹の先端から付け根にかけておよび足底の全面に熱が広がるようにマイクロカーボンファイバーヒーターを植え込む方法
【請求項５】
マイクロカーボンファイバーヒーターを植え込む手袋の手掌側全面の外側の素材には耐熱性、熱伝導性、柔軟性に富んだ薄手の繊維を用い、施術する患部の感触が判別できる仕組みを持つとともに、施術する手を挿入する手袋内部の手掌側には手掌外側からの熱を遮断するための断熱効果に富んだ非吸湿性繊維を手掌側外側の発熱部分に沿う形で張り込み、手袋の手背側の素材には通気性に富んだ繊維を使用することで長時間にわたる施術による熱感や湿感などを外部に放出することにより不快感を抑える方法
【請求項６】
マイクロカーボンファイバーヒーターを植え込む靴下の足底側全面の外側の素材には耐熱性、熱伝導性、柔軟性に富んだ薄手の繊維を用い、施術する患部の感触が判別できる仕組みを持つとともに、施術する足を挿入する靴下内部の足底側には足底外側からの熱を遮断するための断熱効果に富んだ非吸湿性繊維を足底側外側の発熱部分に沿う形で張り込み、靴下の足背側の素材には通気性に富んだ繊維を使用することで長時間にわたる施術による熱感や湿感などを外部に放出することにより不快感を抑える方法
【請求項７】
施術を提供する部位や環境によって顔、首、背中などの敏感な肌に直接施術する場合には弱の刺激を提供し、、腰や足底などの感受性の低い部位または下着や薄手の衣類の上から施術する場合は中の刺激を提供し、厚手の衣類の上からの施術の場合は強の刺激を提供するといった３段階的な温熱効果の識別方法を基本とする施術概念
【請求項８】
熱源の発熱による無熱を含む、判別しやすい段階ごとに移動する４段階の温熱操作スイッチおよび直流電圧を熱源に伝える電子回路または主電源である電池方式の場合は電池ボックス、充電式の場合はバッテリーの３つの要素を持つ装置を温熱効果手袋の場合は手背部分に、温熱効果靴下の場合は足背部分に設置する方法
【発明の詳細な説明】
【技術分野】
【０００１】  あん摩、マッサージ等のボディケアに付帯する施術用具
【背景技術】
【０００２】  ボディケアに付帯する灸やホットパックなどの温熱刺激およびあん摩、マッサージなどの手技・足技による筋肉の硬縮の緩和や血行促進に役立つ施術法を背景としたより治療効果の高いダブルの同時刺激による施術法の構築
【先行技術文献】
【０００３】  ボディケアに付帯する温熱刺激による直接効果を期待する電子温熱マッサージパットまたは間接効果を期待するホットパックなど
マイクロカーボンファイバーヒーター仕様の発熱・暖熱・保温の働きを持つ手袋や靴下等の防寒用具
特願  ２００９−２４６８７２発熱手袋など
【発明の概要】
【０００４】  あん摩、マッサージ等のボディケアを提供する施術者が手または足にて揉む、擦る、押す、つかむ等の施術効果と併用にその施術部位に直接的な温熱刺激を同時に与えることでより高度な血行促進を期待し、よりよいボデイケアの提供が可能となるほか、施術する側の手または足に対して施術面からの熱感伝導を阻止する傍ら、手や足を挿入する内部を通気性に富んだ環境にすることで長時間の施術が容易にこなせることのできる施術用具
【発明が解決しようとする課題】
【０００５】  頑固な肩こりや背中の張り、腰痛、足のだるさに対してのボディケアには強刺激の施術を提供せざるをえないのが現状で、弱刺激では対処しきれない問題になっています。施術者側の技術的な問題や施術を受ける側の感受性により、強刺激ができない、または強刺激で施術を受けるのは敬遠したいという人たちも多数おられます。そんな人たちに対応した弱刺激でも頑固な症状の緩和ができる施術用補助具の必要性に迫られています。それにともなう施術用具として最も重視される施術する側の手や足の施術環境を整え、どんな施術法に対しても、どんなに長い時間を要する施術に対しても不快感を感じさせない構造が要求されます
【問題を解決するための手段】
【０００６】  あん摩、マッサージ等のボディケアを提供する施術者が手を使う施術の場合に手掌側に温熱刺激を出す手袋を装着して揉む、擦る、押す、つかむ等の手技と同時に患部に対して温熱効果をもたらすことで、より高度な治療の提供が可能になります
また、足底にて揉む、押す、擦る等を加える足マッサージにおいても足底の外側に温熱刺激を出す靴下を装着することで足技と温熱刺激のダブル効果により高度な施術が可能となります
温熱効果仕様マッサージ手袋は手技の基本である手掌での施術に対応した手掌側の外側部分である拇指・示指・中指・薬指・小指の５本の指の指腹の先端から指の付け根にかけた部分と手掌全面が温まるように手袋の生地の手掌側外面に発熱素材であるマイクロカーボンファイバーヒーター植え込む形になる
温熱効果を出す手掌側の生地には耐熱性、熱伝導性、柔軟性に富んだ薄手の生地を使用し患部の感触が判別できるような仕組みを持つ。
手技を行う手を挿入する手袋の内側の手掌側にはその外側の発熱部位に沿う形で断熱効果の高い非吸湿性繊維を用い、手掌側外側からの熱を遮断する。また施術にともなう手袋内部の湿感や熱などを外部に放出するために手背側の生地を通気性のよい繊維を使用することで長時間にわたる施術においても施術する手に不快感を与えにくい仕組みを持つ
温熱効果仕様マッサージ靴下は足技の基本である足底での施術に対応した足底側の外側部分である拇指・示指・中指・薬指・小指の５本の指の指腹の先端から指の付け根にかけた部分と足底全面が温まるように靴下の生地の足底側外面に発熱素材であるマイクロカーボンファイバーヒーター植え込む形になる
温熱効果を出す足底側の生地には耐熱性、熱伝導性、柔軟性に富んだ薄手の生地を使用し患部の感触が判別できるような仕組みを持つ。
足技を行う足を挿入する靴下の内側の足底側にはその外側の発熱部位に沿う形で断熱効果の高い非吸湿性繊維を用い、足底側外側からの熱を遮断する。また施術にともなう靴下内部の湿感や熱などを外部に放出するために足背側の生地を通気性のよい繊維を使用することで長時間にわたる施術においても施術する足に不快感を与えにくい仕組みを持つ
温熱効果仕様マッサージ手袋および靴下による温熱効果には４段階の温熱刺激に分けられ、無熱の場合はｏｆｆスイッチ、有熱の場合は弱・中・強の３段階にそれぞれ以下の施術環境により変化します。その施術環境の詳細は、基本的には顔、首、背中などの敏感な肌に直接施術する場合には弱の刺激を提供し、、腰や足底などの感受性の低い部位または下着や薄手の衣類の上から施術する場合は中の刺激を提供し、厚手の衣類の上からの施術の場合は強の刺激を提供するための判別しやすい段階ごとに移動する４段階の温熱効果をコントロールするスイッチおよび直流電圧によるマイクロカーボンファイバーヒーターを発熱させる電子回路とそれにともなう主電源である電池式の場合は電池ボックス、充電式の場合はバッテリーが、手袋なら手背部分に、靴下なら足背部分に設備されている
施術を受ける側の感受性により多少の変化は生じますが、施術による低温火傷などを防止するために手拭いなどを用いた間接的な刺激でによる温度調節も可能となります
【発明の効果】
【０００７】揉む、擦る、押す、つかむ等の手技または足技に加え同時に温熱刺激を加えるダブル効果により、高度な施術技術に限らず弱刺激の施術や刺激によってもそれなりの効果が現れる施術用具です。また、最も重要視されていた施術する側の手や足の施術環境も施術側面からの熱刺激を遮断するとともに通気性に富んだ素材の利用で内部の熱感や湿感などが放出されることで不快感を感じさせず、多種多様の施術が安易にこなせるものです
【図面の簡単な説明】
【０００８】
【図１】…温熱手袋手掌側外側面
【図２】…温熱手袋側面から見た構造
【図３】…温熱靴下足底側外側面
【図４】…温熱靴下側面から見た構造
【実施例】
【０００９】ボディケアに関連したすべての業種での需要性を高め、左右両手または両足に装着することによるより多種多様な施術環境に対してもきめ細かな刺激が提供できます
【符合の説明】
【００１０】Ａ…温熱手袋発熱源であるマイクロカーボンファイバーヒーター    Ｂ…温熱手袋手掌側の耐熱性、熱伝導性、柔軟性に富んだ素材    Ｃ…温熱手袋の内部に発生する熱感や湿感を外部に放出させるための通気性に富んだ素材    Ｄ…温熱手袋手掌側の内部への熱を遮断する断熱効果に富んだ非吸湿性繊維    Ｅ…温熱手袋手背部分に設置される温熱効果４段階操作スイッチおよび熱源から発熱させる電子回路または主電源となる電池式の場合は電池ボックス、充電式の場合はバッテリーの３つの要素を持つ装置
Ｆ…温熱靴下発熱源であるマイクロカーボンファイバーヒーター    Ｇ…温熱靴下足底側の耐熱性、熱伝導性、柔軟性に富んだ素材    Ｈ…温熱靴下足底側の内部への熱を遮断する断熱効果に富んだ非吸湿性繊維    Ｉ…温熱靴下の内部に発生する熱感や湿感を外部に放出させるための通気性に富んだ素材    Ｊ…温熱靴下足背部分に設置される温熱効果４段階操作スイッチおよび熱源から発熱させる電子回路または主電源となる電池式の場合は電池ボックス、充電式の場合はバッテリーの３つの要素を持つ装置
補足温熱手袋は符合Ｄ、温熱靴下は符合Ｈのそれぞれに使用される断熱効果に富んだ素材の表示のみ内部構造を表示しております
【産業上の利用可能性】
【００１１】  あん摩・マッサージ・指圧師の有資格者のみならず、整体、リラクゼーション、エステ、その他美容、または医療関連などのボディケアを要する業種での受容性が高まる商品になるものと思われます。また、認知症や自閉症のケアとして使用される非薬物療法のひとつである弱刺激によるマッサージ療法にも応用できるものと期待しています
【図１】
2015036465.tif 000003
【図２】
2015036465.tif 000004
【図３】
2015036465.tif 000005
【図４】
2015036465.tif 000006